(57)【要約】      （修正有）【課題】美的外観の向上を図ると共に、照明灯の照明範囲を自在に調整できる装置を提供する。【解決手段】オンオフ・スイッチ６の一方に固定されたソケット５に嵌められた豆電球やＬＥＤなどの光源４と、光源を保護する風防レンズ２を、円筒形収納容器３の内側に回転はしないが摺動自在に一体に収納し、オンオフ・スイッチの他方に電池７を挿入し、裏蓋８を円筒形収納容器に固定して電池を抑え、円筒形収納容器はその外周に設けた凸型ネジヤマ３ａが基体１に固設した円筒形収納容器支持物９の内側に設けた凹型ネジミゾ９ａとネジ嵌合し、円筒形収納容器を回転させ、円筒形収納容器支持物に対し相対的に移動させることで、光源が発する多方向光線の遮光範囲及び照射範囲を自在に調整する。携帯用身の回り品である、バッグ、ぬいぐるみ、等を基体の対象とするのが好ましい。【選択図】図４
0003193360.tif 000002
【実用新案登録請求の範囲】
【請求項１】
オンオフ・スイッチとそのボタンとを、光源を保護する風防レンズの円筒形収納容器に合体吸収させ、ぬいぐるみ、マスコット等の基体内に一体収納することで、基体表面に一切のオンオフ・スイッチボタンが突出しない事を可能とし、基体表面からボタン等の突出物を除去し、基体表面の美的外観を著しく向上させ消費者の受容度を拡幅することにより、本考案の高い利便性を広く普及さ、社会的貢献の道を広げるための革新的装置と、更にそれを高め拡幅する付加機能を特徴とする装置。
【請求項２】
請求項１の実施を高め拡幅する機能を付加装置として、オンオフ・スイッチの一方に固定されたソケットに嵌められた豆球やＬＥＤなどの光源と、該光源を保護する風防レンズを円筒形収納容器に摺動自在に一体に収納し、該オンオフ・スイッチの対方に電池を挿入し、裏蓋を該円筒形収納容器に固定して電池を抑え、該円筒形収納容器はその外周に設けた凸型ネジヤマが基体に固設した円筒形収納容器支持物の内側に設けた凹型ネジミゾとネジ嵌合し、該円筒形収納容器を回転させることにより、該円筒形収納容器を、該円筒形収納容器支持物に対し相対的に上下（前後）に移動させることで、光源の発する多方向光線の遮光範囲及び照射範囲を自在に調整し、随意に照射範囲を固定化できる機能を備える。
【請求項３】
請求項１の装置の設置対象としては、懐中電灯の他、携帯用身の回り品である、バッグ、ポーチ、ポセット、ランドセル、リュックサック、鞄、袋物、帽子、ベルト、ぬいぐるみ、又はマスコット等の基体が対象となり、それぞれの対象に設置された機能をより高め拡幅するために、［請求項２］の付加装置が適用される。
【考案の詳細な説明】
【技術分野】
【０００１】本考案は、スイッチでオンオフできる照明灯に関する。
【背景技術】
【０００２】ぬいぐるみ等の各基体の表面に照明灯とオンオフ・スイッチのボタンとを個別に分離して設置している考案（特許文献１）は存在するが、オンオフ・スイッチとそのボタンが基体表面から突出しているため、外観上の美観を著しく損ない、美的要素を欠いた照明用道具であるかの悪印象を拭い去らなければ、利用意向を持つ消費者の賛同が得られず、利便性の優れた考案として高い期待ができる社会貢献の達成を著しく阻害する。【０００３】一般に従来の照明灯と呼ばれる、ボール型の電球や直管あるいはサークル状のサークライン式の蛍光管、はたまた昨今普及されてきた電球上のＬＥＤ灯などは、それ自体の照射範囲は極めて広い状態にあるが、電球や蛍光灯などの傘と呼ばれる覆いや、懐中電灯などのレンズ構造などによって、それらの照明灯の照明範囲は、それぞれ一定の範囲にのみに限定されている。【０００４】非常時、災害時、停電時、夜間等に身近で便利なぬいぐるみ、マスコット、又はバッグ類等に設置されたＬＥＤ照明灯の考案はあるが（特許文献１）、その照明範囲は、広範囲に及ぶため、看護師さん、介護士さんによる夜間の巡回時に、睡眠中、体養中の患者さん、要介護者さん達に不必要で迷惑な照明となる【０００５】他方、自動車等の前照灯の照明範囲を調整する発明（特許文献３，４）はあるが、身近な日常生活上の身の回り品である懐中電灯、或いは他の照明灯では照明範囲を自在に調整する装置は存在していない。【０００６】一方、護身用ぬいぐるみとして基体内の底部に小型電球を配置した考案（特許文献２）は存在するが、其の光源の光線は基体の底部から限られた範囲のみの照射に限定され、光源を基体外部に露出し多方面光線を周囲に照射出来ず、犯罪者の犯罪動機を防ぐには防犯灯としての機能は不十分である。
【先行技術文献】
【特許文献】
【０００７】
【特許文献１】実用新案登録３１８４６６４
【特許文献２】実開平６−２２７９４
【特許文献３】特開０７−１８６８１４
【特許文献４】特開０７−１８６８２２
【考案の概要】
【考案が解決しようとする課題】
【０００８】光源を保護する風防レンズとオンオフ・スイッチのボタンとが各基体の表面にそれぞれ分離されて別個に設置されている考案（特許文献１）はあるが、身の回り品としての美的外観を著しく損なっている不都合さの原因とされる基体表面から突出しているオンオフ・スイッチのボタンを表面から除去する課題。【０００９】非常時、災害時、停電時、夜間等に身近で便利なぬいぐるみ、マスコット、又はバッグ類等に設置されたＬＥＤ照明灯（特許文献１）はあるが、その照明範囲を調整することができず、時として看護師さん、介護士さんによる夜間の巡回時に、睡眠中、休養中の患者さん、要介護者さん達に不必要で迷惑な照明となるのを回避するために、照明範囲を調整し遮光を適度に行う課題。【００１０】一方、護身用ぬいぐるみとして基体内の底部に小型電球を配置した考案  （特許文献２）が存在するが、其の光源の光線は基体の底部から限られた範囲のみの照射に限定され、光源を基体外部に露出し多方面光線を周囲に照射出来ず、犯罪者の犯罪動機を防ぐには防犯灯としては不十分であるという課題。【００１１】非常時、災害時、停電時、夜間等に室内外で広範囲な照明を確保する場合に、一般的な懐中電灯の限定的な照明範囲では確保できない従来技術の限界を解消する課題。【００１２】更に、照明範囲を拡大・狭小化できることによる、照射対象の拡張・絞り込みを平易にし、屋内外での停電時、非常時、避難、災害時等の際の作業効率を向上させる課題。
【課題を解決するための手段】
【００１３】本考案は、各基体の表面に個別に分離されて設置された光源を保護する風防レンズとオンオフ・スイッチのボタンを一体化した小型収納容器の設置に要する基体内の容積を縮小し、一方でオンオフ・スイッチのボタンの突出を基体の表面から除去し、各基体の表面の美的外観を著しく向上させ、身の回り品として消費者の親近感の増幅に寄与し、其れにより高い利便性の普及に寄与させ、社会貢献への可能性を拡幅する。【００１４】各基体の内部で、オンオフ・スイッチの一方に固定されたソケットに嵌めこめられた豆球やＬＥＤなどの光源と、該光源を保護する風防レンズを円筒形収納容器に摺動自在に一体に収納し、該オンオフ・スイッチの対方に電池を挿入し、裏蓋を該円筒形収納容器に固定して電池を抑え、該円筒形収納容器はその外周に設けた凸型ネジヤマが基体に固設した円筒形収納容器支持物の内側に設けた凹型ネジミゾとネジ嵌合し、該円筒形収納容器を回転させることにより、該円筒形収納容器を該円筒形収納容器支持物に対し相対的に上下（前後）に移動させることで、光源の発する多方向光線の遮光範囲及び照射範囲を自在に調整し、随意に照射範囲を固定化できる機能をこの考案の付加装置として併せて提供する。
【考案の効果】
【００１５】豆電球又はＬＥＤ電球の光源を防護する風防レンズにオンオフ・スイッチボタンの役割を果たさせ、両者を一体型容器に収納し、基体の表面から飛び出していたオンオフ・スイッチボタンを除去したので、身の回り品としての美的外観を欠いた著しい不都合さが解消され、優れた利便性を多くの消費者に普及させ、社会貢献への道がより広く開ける。【００１６】併せて本考案は、懐中電灯等照明灯の照明範囲を、１８０度を超える広角照射から、平行光線なみの平行照射にまで狭小化できる付加装置を備える。【００１７】本考案の付加装置は、従来技術に比して、非常時、災害時、停電時、又は夜間活動時に必要な広範囲な照明の確保、或いは照明範囲を絞り込んだスポットライト確保等の目的別に沿って懐中照明灯又は他の日常性照明灯の照明範囲を自在に調整できる新しい利便性を提供し、社会厚生上の生産性向上に貢献をする。【００１８】本考案の付加装置は、医療施設、介護施設等で看護師さん、介護士さん等が夜間の巡回に際し、睡眠中又は体養中の患者さん、要介護者さん達に迷惑な照明が届かないように多方向光線の広がりを遮光出来る調整能力を持つ新しい利便性を提供し、社会厚生上の生産性向上に貢献をする。【００１９】本考案は、懐中電灯の他、携帯用身の回り品である、バッグ、ポーチ、ポセット、ランドセル、リュックサック、鞄、袋物、帽子、ベルト、ぬいぐるみ、又はマスコット等を基体の対象とし設置したので学童やＯＬも携帯でき、学童の夜間帰宅時、又はＯＬの夜間帰宅時等に連続点灯される携帯型照明防犯灯としての照明範囲を、前方向の照射に限定し、安全な歩行先を確保できるという安全性の向上をさせる事が出来、一方では周囲への照射範囲を拡幅し、犯罪者等の犯罪動機等の惹起を防ぎ、防犯性の向上を発揮させる利便性を提供し、社会生活上の安全性確保の向上に貢献をする。
【図面の簡単な説明】
【００２０】
【図１】は、照明灯と光源を保護する風防レンズとを一体型の小型収納器に収納し、基体表面からオンオフ・スイッチのボタンを除去したぬいぐるみへの本考案の実施例を示す。
【図２】は、光源が発する多方向光線を開放するために、風防レンズを円筒形収納容器支持物から飛び出した位置に螺旋移動させ、照射範囲を拡大させた状態を示す断面図である。
【図３】は、風防レンズを基体内部に螺旋移動させ、光源の多方向光線を円筒形収納容器支持物で遮光し、平行光線に調整した状態を示す断面図である。
【図４】は、風防レンズが固着された円筒形収納容器を基体に固着させる円筒形収納容器支持物の内周部に設定された螺旋ネジミゾと風防レンズの円筒形収納容器の外周部の螺旋ネジヤマを螺号させて、螺旋回転で螺旋移動を可能にしたことを示す断面図である。
【図５】は、円筒形収納容器とそこに固着された風防レンズ、光源、ソケット、オンオフ・スイッチ、電池、及び円形収納容器の底部に設置された電池交換用に設置された着脱自在な開閉蓋を示した、円筒形収納容器を示す断面図である。
【考案を実施するための形態】
【実施例】
【００２１】図５を参照しながら本考案の照明灯の照明範囲を調整する装置に関し、その実施例を示す。オンオフ・スイッチ６の一方に固定されたソケット５に嵌められた豆球やＬＥＤなどの光源４と、光源４を防護する風防レンズ２が円筒形収納容器３に一体に収納されており、オンオフ・スイッチの対方には電池７が挿入され、裏蓋８で円筒形収納容器３に固定されている。
一方、円筒形収納容器３はその外周に設けた凸型ネジヤマ３ａが基体１に固設した円筒形収納容器支持物９の内側に設けた凹型ネジミゾ９ａとネジ嵌合しており、円筒形収納容器３を回転させると、円筒形収納容器３は円筒形収納容器支持物９に対し相対的に上下（前後）に移動する（図４）。
図２は円筒形収納容器３をいっぱいに回した時の風防レンズ２が基体１から突出している状態を示しており、この状態での光角は広く１８０度以上拡散する。一方、円筒形収納容器３を逆にいっぱいに回すと風防レンズ２は基体１の内部に引っ込んで、この状態では光角は狭く細くまっすぐに照射されることとなる。（図３）【００２２】なお図１は、基体１をぬいぐるみとして本考案の照明灯とオンオフ・スイッチを合体させた円形収納容器を配設し、オンオフ・スイッチのボタンを基体表面から除去した状態を示す参考図である。【００２３】電池交換は基体の背面側、たとえば動物などのぬいぐるみで言えば、背中に構成したジッパーや回転蓋（図示せず）などの開閉部を開いて、ドライバーなどの治具、又は指で裏蓋を平易に外して交換する。【００２４】光の照射角を変えるには、風防レンズを指などで回しても良いし、基体の背面側に構成したジッパーや回転蓋などの開閉部を開いて、指などにより円筒形収納容器を回すことでも実現できる。【００２５】円筒形収納容器の材質は金属製又はプラスチックス製いずれでもよく、また、円筒形収納容器支持部も同様に金属製又はプラスチックス製いずれでもよい。【００２６】なお、本考案の照明灯の照明範囲を調整する付加装置は、もちろん、それ自体を光角自在な懐中電灯として使用できる。
【産業上の利用可能性】
【００２７】社会生活上重要な懐中電灯又はその他の日常用身の回り品としての照明灯の照明範囲を自在に調整できる本考案は、簡易な加工技術と、安価な製造工程により実現でき、新しい利便性を具備した貴重で平易な発明品として又美的感情と親近感をより多くの消費者に惹起させる事により、迅速な普及を期待でき、それに伴い新たな市場形成が期待でき、製造及び流通の新産業創出、及びその形成に貢献できる。
【符号の説明】
【００２８】１    ………基体
１ａ  ………基体表面
２    ………風防レンズ
３    ………円筒形収納容器
３ａ  ………円筒形収納容器凸型ネジヤマ
４    ………光源
５    ………ソケット
６    ………オンオフスウイッチ
７    ………電池
８    ………裏蓋
９    ………円筒形収納容器支持物
９ａ  ………円筒形収納容器支持物凹型ネジミゾ
【図１】
0003193360.tif 000003
【図２】
0003193360.tif 000004
【図３】
0003193360.tif 000005
【図４】
0003193360.tif 000006
【図５】
0003193360.tif 000007
【手続補正書】
【提出日】平成26年4月11日(2014.4.11)
【手続補正１】
【補正対象書類名】実用新案登録請求の範囲
【補正対象項目名】全文
【補正方法】変更
【補正の内容】
【実用新案登録請求の範囲】
【請求項１】
オンオフ・スイッチの一方に固定されたソケットに嵌められた豆球やＬＥＤなどの光源と、該光源を保護する風防レンズを、円筒形収納容器の内側に回転はしないが摺動自在に一体に収納し、該オンオフ・スイッチの対方に電池を挿入し、裏蓋を該円筒形収納容器に固定して電池を抑え、該円筒形収納容器はその外周に設けた凸型ネジヤマが基体に固設した円筒形収納容器支持物の内側に設けた凹型ネジミゾとネジ嵌合し、該円筒形収納容器を回転させることにより、該円筒形収納容器を該円筒形収納容器支持物に対し相対的に上下（前後）に移動させることで、光源の発する多方向光線の遮光範囲及び照射範囲を自在に調整し、随意に照射範囲を固定化できる機能を有し、又該円筒形首脳容器を基体底部に移動させることにより、スイッチ・ボタンの役割を担う風防レンズが不如意に外部と接し、点灯、点滅が発生しないようにできる機能を有することを特徴とする照明灯の照明範囲を調整する装置
【請求項２】
オンオフ・スイッチと光源を保護する風防レンズとを基体内に一体収納することで、基体表面に一切のオンオフ・スイッチボタンが突出しないことを特徴とする請求項１記載の照明灯の照明範囲を調整する装置
【請求項３】
懐中電灯の他、携帯用身の回り品である、バッグ、ポーチ、ポシェット、ランドセル、リュックサック、鞄、袋物、帽子、ベルト、ストラップ、ヘアーバンド、ブローチ、ペンダント、キーホルダー、ぬいぐるみ、マスコット、又は看護服、消防服、防災服、その他衣服類、及びペットの首輪、ペットの衣服等を基体の対象として設置することを特徴とする請求項１記載の照明灯の照明範囲を調整する装置
【請求項４】
ぬいぐるみ、又はマスコット、その他身の回り品の基体裏面にクリップ、ハンガー、ファスナー、又は磁石等を設置し、看護服、消防服その他の被服類又は屋内外の什器、備品等に自在に着脱し、懐中電灯の操作時に必要とされていた片手を解放し、自由な両手を提供できることを特徴とする請求項１記載の照明灯の照明範囲を調整する装置
【手続補正２】
【補正対象書類名】明細書
【補正対象項目名】全文
【補正方法】変更
【補正の内容】
【考案の詳細な説明】
【技術分野】
【０００１】  本考案は、スイッチでオンオフできる照明灯に関する。
【背景技術】
【０００２】  一般に照明灯と呼ばれる、ボール型の電球や直管あるいはサークル状のサークライン式の蛍光管、はたまた昨今普及されてきた電球上のＬＥＤ灯などは、それ自体の照射範囲は極めて広い状態にあるが、電球や蛍光灯などの傘と呼ばれる覆いや、懐中電灯などのレンズ構造などによって、それらの照明灯の照明範囲は、それぞれ一定の範囲にのみに限定されている。【０００３】  非常時、災害時、夜間等に身近で便利なぬいぐるみ、マスコット、又はバッグ類等に設置されたＬＥＤ照明灯の考案はあるが（特許文献１）、その照明範囲は、広範囲に及ぶため、看護師さん、介護士さんによる夜間の巡回時に、睡眠中、休養中の患者さん、要介護者さん達に不必要で迷惑な照明となる。【０００４】又看護服等に接着すべく基体裏面にクリップ、ハンガー、ファスナー及び磁石等を設置する技術はなく、看護婦さん、介護士さんが懐中電灯の操作時に拘束されている片手を解放できず、自由な両手の使用を提供できない。【０００５】一方では、非常時、停電時等に屋内外の什器、備品等に接着すべく基体裏面にクリップ、ハンガー、ファスナー、及び磁石等を接着する技術はなく、定点での安定した照明灯としての機能が提供されない。【０００６】  自動車等の前照灯の照明範囲を調整する発明（特許文献３，４）はあるが、身近な日常生活上の身の回り品である懐中電灯、或いは他の照明灯では照明範囲を自在に調整する装置は存在していない。【０００７】  又、ぬいぐるみ等の各基体の表面に照明灯とオンオフ・スイッチのボタンとを個別的に分離して設置している考案（特許文献１）は存在するが、オンオフ・スイッチが基体から突出しているため、見栄えが良くなく、又突出しているスイッチ・ボタンが外部との不如意な接触で、不如意に点灯、点滅させる危惧がある。【０００８】  一方、護身用ぬいぐるみとして基体内部に小型電球を配置した考案（特許文献２）は存在するが、其の光源の光線は基体の底部から限られた範囲のみの照射に限定され、光源を基体外部に露出し多方面光線を周囲に照射出来ず、犯罪者の犯罪動機を防ぐには不十分である。
【先行技術文献】
【特許文献】
【０００９】
【特許文献１】実用新案登録３１８４６６４
【特許文献２】実開平６−２２７９４
【特許文献３】特開０７−１８６８１４
【特許文献４】特開０７−１８６８２２
【考案の概要】
【考案が解決しようとする課題】
【００１０】  このように非常時、災害時、夜間等に身近で便利なぬいぐるみ、マスコット、又はバッグ類等に設置されたＬＥＤ照明灯はあるが、その証明範囲を調整することができず、時として看護師さん、介護士さんによる夜間の巡回時に、睡眠中、休養中の患者さん、要介護者さん達に不必要で迷惑な照明となるのを回避するために、照明範囲を調整し遮光を適度に行う課題。【００１１】  一方、護身用ぬいぐるみとして基体内部に小型電球を配置した考案が存在するが、其の光源の光線は基体の底部から限られた範囲のみの照射に限定され、光源を基体外部に露出し多方面光線を周囲に照射出来ず、犯罪者の犯罪動機を防ぐには不十分であるという課題。【００１２】  非常時、災害時、停電時、夜間時に室内外で広範囲な照明を確保する場合に、一般的な懐中電灯の限定的な照明範囲では確保できない限界を解消する課題。【００１３】  非常時、停電時等に屋内外で定位置での照明灯として機能させるべく基体裏面にクリップ、ハンガー、ファスナー、磁石等を設置し、屋内外の什器、備品等に自在に着脱させる課題。【００１４】  更に、照明範囲を拡大・狭小化できることによる、照射対象の拡張・絞り込みを平易にし、作業効率を向上させる課題。【００１５】  光源を保護する風防レンズとオンオフ・スイッチボタンが各基体の表面に分離して設置されているためにもたらされている身の回り品としての美的外観を欠いた著しい不都合さを解消するためにオンオフ・スイッチボタンを表面から除去し、スイッチ・ボタンの役割を担う風防レンズを基体内部に移動させ、風防レンズが外部と不如意に接触し、不如意に点灯、点滅するのを防ぐ課題。
【課題を解決するための手段】
【００１６】  オンオフ・スイッチの一方に固定されたソケットに嵌められた豆球やＬＥＤなどの光源と、該光源を保護する風防レンズを、円筒形収納容器に回転はしないが摺動自在に一体に収納し、該オンオフ・スイッチの対方に電池を挿入し、裏蓋を該円筒形収納容器に固定して電池を抑え、該円筒形収納容器はその外周に設けた凸型ネジヤマが基体に固設した円筒形収納容器支持物の内側に設けた凹型ネジミゾとネジ嵌合し、該円筒形収納容器を回転させることにより、該円筒形収納容器を該円筒形収納容器支持物に対し相対的に上下（前後）に移動させることで、光源の発する多方向光線の遮光範囲及び照射範囲を自在に調整し、随意に照射範囲を固定化できる機能を提供し、基体底部に移動させた結果スイッチ・ボタンの役割を持つ風防レンズが不如意に外部と接触し点灯、点滅するのを防ぐ機能を提供する。【００１７】  各基体の表面に個別的に分離して設置された、光源を保護する風防レンズとオンオフ・スイッチボタンとを一体化した小型収納容器の設置に要する容積を小型化し、又オンオフ・スイッチボタンの突出を基体表面から除去し、各基体の表面の美的な外観の革新的な向上を同時に実現する。【００１８】  各基体の裏面にクリップ、ハンガー、ファスナー、磁石等を設置し、看護服、消防服等の被服類に接着し、懐中電灯の操作に拘束されている片手を解放し、自由な両手の使用を提供する。【００１９】  災害時、停電時等に際し、各基体の裏面に設置されたクリップ、ハンガー、ファスナー、磁石等で屋内外の什器、備品等に接着し、定位置に照明灯を安定的に確保できる機能を提供する。
【考案の効果】
【００２０】  豆電球又はＬＥＤ電球の光源を防護する風防レンズにオンオフ・スイッチボタンの役割を果たさせ、両者を一体型容器に収納し、基体の表面から飛び出していたオンオフ・スイッチボタンを除去したので、身の回り品としての美的外観を欠いた著しい不都合さが解消された。【００２１】  本考案は、懐中電灯等照明灯の照明範囲を、１８０度を超える広角照射から、平行光線なみの平行照射にまで狭小化でき、基体底部に移動したスイッチ・ボタンの役割を担う風防レンズが、外部と接触し、不如意に点灯、点滅するのを防ぐ機能を備える。【００２２】  非常時、災害時、停電時、又は夜間活動時に必要な広範囲な照明の確保、或いは照明範囲を絞り込んだスポットライト確保等の目的別に沿って懐中照明灯又は他の日常性照明器具の照明範囲を自在に調整できる新しい利便性を提供し、又各基体の裏面に設置されたクリップ、ハンガー、ファスナー、磁石等で各基体を屋内外の什器、備品等に接着させ、定位置での安定的な照明灯を確保し、提供できる。【００２３】  医療施設、介護施設等で看護師さん、介護士さん等が夜間巡回に際し、唾眠中又は休養中の患者さん、要介護者さん達に迷惑な照明が届かないように多方向光線の広がりを遮光出来る調整能力を持つ新しい利便性を提供し、且つ基体裏面に設置されたクリップ、ハンガー、ファスナー、磁石等で各基体を看護服、消防服、その他の被服類に接着させ、懐中電灯の操作に拘束されていた片手を解放し、自由な両手の使用を提供できる。【００２４】  懐中電灯の他、携帯用身の回り品である、バッグ、ポーチ、ポセット、ランドセル、リュックサック、鞄、袋物、帽子、ベルト、ぬいぐるみ、又はマスコット等を基体の対象として設置したので学童やＯＬも携帯でき、学童の夜間帰宅時、又はＯＬの夜間帰宅時等に連続点灯される携帯型照明防犯灯の照明範囲を、前方向の照射に限定し、安全な歩行先を確保できる安全性を向上させ、一方では周囲への照射範囲を拡幅し、犯罪者等の犯罪動機等の惹起を防ぎ、防犯性の向上を発揮させる利便性を提供し、社会生活上の安全性確保の向上に貢献をする。
【図面の簡単な説明】
【００２５】
【図１】は、本考案の照明灯の照明範囲を調整する装置をぬいぐるみに応用した状態を示す。
【図２】は、光源が発する多方向光線を開放するために、風防レンズを円筒形収納容器支持物から飛び出した位置に螺旋移動させ、照射範囲を拡大させた状態を示す断面図である。
【図３】は、風防レンズを基体内部に螺旋移動させ、光源の多方向光線を円筒形収納容器支持物で遮光し、平行光線に調整した状態を示し、スイッチ・ボタンの役割を担う風防レンズが外部と接触し、不如意に点灯、点滅するのを防ぐための断面図である。
【図４】は、風防レンズが固着された円筒形収納容器を基体に固着させる円筒形収納容器支持物の内周部に設定された螺旋ネジミゾと風防レンズの円筒形収納容器の外周部の螺旋ネジを螺号させて、螺旋回転で螺旋移動を可能にしたことを示す断面図である。
【図５】は、円筒形収納容器とそこに固着された風防レンズ、光源、ソケット、オンオフ・スイッチ、電池、及び円形収納容器の底部に設置された電池交換用に設置された着脱自在な開閉蓋を示した、円筒形収納容器を示す外観図である。
【図６】は、看護服、消防服等その他の被服類に自在に付着できる、基体の背面に設置されたハンガーを示す外観図である。
【考案を実施するための形態】
【実施例】
【００２６】  図５を参照しながら本考案の照明灯の照明範囲を調整する装置に関し、その実施例を示す。オンオフ・スイッチ６の一方に固定されたソケット５に嵌められた豆球やＬＥＤなどの光源４と、光源４を防護する風防レンズ２が円筒形収納容器３に回転はしないが摺動自在に一体に収納されており、オンオフ・スイッチの対方には電池７が挿入され、裏蓋８で円筒形収納容器３に固定されている。
一方、円筒形収納容器３はその外周に設けた凸型ネジヤマ３ａが基体１に固設した円筒形収納容器支持物９の内側に設けた凹型ネジミゾ９ａとネジ嵌合しており、円筒形収納容器３を回転させると、円筒形収納容器３は円筒形収納容器支持物９に対し相対的に上下（前後）に移動する（図４）。
図２は円筒形収納容器３をいっぱいに回した時の風防レンズ２が基体１から突出している状態を示しており、この状態での光角は広く１８０度以上拡散する。一方、円筒形収納容器３を逆にいっぱいに回すと風防レンズ２は基体１の内部に引っ込んで、この状態では光角は狭く細くまっすぐに照射されることとなり、又スイッチ・ボタンの役割を担う風防レンズ２が基体底部にあるため、外部と接触せず、不如意な点灯、点滅を防ぐ機能を示す。（図３）【００２７】  なお図１は、基体１をぬいぐるみとして本考案の照明灯の照明範囲を調整する装置を配設した状態を示す参考図である。照明灯の点灯、点滅、消灯は風防レンズ２を押すことでオンオフ・スイッチが作動し、点灯、点滅、消灯となる。【００２８】  電池交換は基体の背面側、たとえば動物などのぬいぐるみで言えば、背中に構成したジッパーや回転蓋（図示せず）などの開閉部を開いて、ドライバーなどの治具、又は指で裏蓋を平易に外して交換する。【００２９】  光の照射角を変えるには、風防レンズを指などで回しても良いし、基体の背面側に構成したジッパーや回転蓋などの開閉部を開いて、指などにより円筒形収納容器を回すことでも実現できる。【００３０】  円筒形収納容器の材質は金属製又は樹脂製いずれでもよく、また、円筒形収納容器支持部も同様に金属製又は樹脂製いずれでもよい。【００３１】  なお、本考案の照明灯の照明範囲を調整する装置は、もちろん、それ自体を光角自在な懐中電灯として使用でき、基体の背面にハンガー、磁石等を設置（図６）し、看護服その他被服類、又は屋内外の什器、備品等に自在に接着し、安定的な照明を確保できる。
【産業上の利用可能性】
【００３２】  社会生活上重要な懐中電灯又はその他の日常用具としての照明器具の照明範囲を自在に調整できる本考案は、簡易な加工技術と、安価な製造工程により実現でき、新しい利便性を具備した貴重で平易な発明品として迅速な普及を期待でき、新たな市場形成が期待でき、製造及び流通の新産業創出、及び形成に貢献できる。
【符号の説明】
【００３３】１    ………基体
１ａ  ………基体表面
１ｂ  ―――基体背面
２    ………風防レンズ
３    ………円筒形収納容器
３ａ  ………円筒形収納容器凸型ネジヤマ
４    ………光源
５    ………ソケット
６    ………オンオフスウイッチ
７    ………電池
８    ………裏蓋
９    ………円筒形収納容器支持物
９ａ  ………円筒形収納容器支持物凹型ネジミゾ
１０――――ハンガー
【手続補正３】
【補正対象書類名】図面
【補正対象項目名】図６
【補正方法】追加
【補正の内容】
【図６】
0003193360.tif 000008
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
オンオフ・スイッチの一方に固定されたソケットに嵌められた豆電球やＬＥＤなどの光源と、該光源を保護する風防レンズを、円筒形収納容器の内側に回転はしないが摺動自在に一体に収納し、該オンオフ・スイッチの他方に電池を挿入し、裏蓋を該円筒形収納容器に固定して電池を抑え、該円筒形収納容器はその外周に設けた凸型ネジヤマが基体に固設した円筒形収納容器支持物の内側に設けた凹型ネジミゾとネジ嵌合し、該円筒形収納容器を回転させることにより、該円筒形収納容器を該円筒形収納容器支持物に対し相対的に上下（前後）に移動させることで、光源の発する多方向光線の遮光範囲及び照射範囲を自在に調整し、随意に照射範囲を固定化できる機能を有し、又該円筒形収納容器を基体底部に移動させることにより、スイッチ・ボタンの役割を担う風防レンズが不如意に外部と接し、点灯、点滅が発生しないようにできる機能を有することを特徴とする照明灯の照明範囲を調整する装置
【請求項２】
オンオフ・スイッチと光源を保護する風防レンズとを基体内に一体収納することで、基体表面に一切のオンオフ・スイッチボタンが突出しないことを特徴とする請求項１記載の照明灯の照明範囲を調整する装置
【請求項３】
懐中電灯の他、携帯用身の回り品である、バッグ、ポーチ、ポシェット、ランドセル、リュックサック、鞄、袋物、帽子、ベルト、ベルト、ストラップ、ヘアーバンド、ブローチ、ペンダント、キーホルダー、ぬいぐるみ、マスコット、又は看護服、消防服、防災服、その他衣服類、及びペットの首輪、ペットの衣服等を基体の対象として設置することを特徴とする請求項１記載の照明灯の照明範囲を調整する装置
【請求項４】
ぬいぐるみ、又はマスコット、その他身の回り品の基体裏面にクリップ、ハンガー、ファスナー、又は磁石を設置し、看護服、消防服その他の被服類又は屋内外の什器、備品に自在に着脱し、懐中電灯の操作時に必要とされていた片手を解放し、自由な両手を提供できることを特徴とする請求項１記載の照明灯の照明範囲を調整する装置